(57)【特許請求の範囲】
【請求項１】
親綱を取付けるための取付け部を有する支柱本体(3)と、この支柱本体下部を工事現場の骨組鋼材に固定すべく、締め付けボルト(22)によって前記鋼材の型鋼材フランジ部を咬持する固定部材(2)とを備えた親綱支柱において、
前記支柱本体は、前記固定部材と一体化した垂直に起立して延びる基端部(31)と、この基端部から固定部材の外側方に逃げるようにして延びる延設部(32)と、この延設部から延び且つ前記親綱の取付け部を上端に設けた垂直に起立して延びる支柱部(33)とからなり、
前記支柱本体は、前記支柱部の軸線が前記基端部の軸線に対して前記延設部の逃げ幅分(W)だけ外方にずれるよう、前記延設部を前記基端部及び支柱部にそれぞれ湾曲させて略Ｓ字状に連続せしめたアルミ製の角パイプからなることを特徴とする親綱支柱。
【請求項２】
前記延設部が、支柱部と同等かこれよりも短い垂直長さを有することを特徴とする請求項１に記載の親綱支柱。
【請求項３】
前記延設部に把手が取付けられたことを特徴とする請求項１又は２に記載の親綱支柱。
【発明の詳細な説明】
【０００１】
【発明の属する技術分野】
本発明は、高所作業員の安全性を確保する親綱を掛け渡すための親綱支柱の改良に関するものである。
【０００２】
【従来技術】
建築工事現場などで高所作業を行う作業員は、腰ベルトに取付けた救命ロープを親綱にフック掛けして安全性を確保する。親綱は、作業員が歩行する型鋼材（骨組材）のフランジ部に所定の間隔を置いて起立固定された親綱支柱に取付けられる。
【０００３】
一般的な親綱支柱は、垂直に延びる支柱本体部の下端に上記フランジ部への固定部を設ける一方、支柱本体上部に親綱の取付け部を設けて成る。
こうした親綱支柱は、フランジ部の上方空間側方をフランジ部の幅とほぼ同幅に規制する。このため、特に親綱支柱の固定されている箇所で、作業員は、腰につけた工具が親綱支柱に接触してバランスを崩すのを避けるため、歩行や動きに制約を伴う。
【０００４】
特開平１１−３００４３号は、一般的な親綱支柱の抱える上記した問題点を解消する技術を開示する。
親綱支柱Ａは、図３の概略構成図に見られるように、フランジ部Ｂへの挟着部Ｃに対して支柱本体部Ｄが外側に５゜〜２０゜傾斜して形成されている。親綱の取付け部Ｅは、傾斜した支柱本体部Ｄの上端に設けられる。
支柱本体部Ｄが傾斜している分、フランジ部Ｂの上方空間側方が広がり、作業員の腰部から下半身や運搬している建築構成部材が当たりにくくなる。
【０００５】
【発明が解決しようとする課題】
しかしながら、周囲の大半の構成部材が水平と垂直な部材によって形成されているなかで、足元から腰の高さ位置まで僅かに傾斜して上方に延びるこの親綱支柱Ａは、フランジ部Ｂを歩行する作業員に、違和感を与えるばかりでなく微妙な不安感を生じさせる。また、特に傾斜角度の小さいものは、傾斜した親綱支柱自体が垂直であるかのような錯覚さえ与える。
こうした感覚の狂いは、高所作業員に負担を強いることになり、安全性に欠ける。
【０００６】
本発明の目的は、高所作業員が歩行するフランジ部などの歩行面の上方空間側方に、歩行面の幅以上の間隔を確保でき、しかも作業員に心理的な違和感や不安感などを生じさせることのない、親綱支柱を提供することにある。
【０００７】
【課題を達成するための手段】
本発明は、上記目的を達成すべく、親綱を取付けるための取付け部を有する支柱本体(3)と、この支柱本体下部を工事現場の骨組鋼材に固定すべく、締め付けボルト(22)によって前記鋼材の型鋼材フランジ部を咬持する固定部材(2)とを備えた親綱支柱において、前記支柱本体は、前記固定部材と一体化した垂直に起立して延びる基端部(31)と、この基端部から固定部材の外側方に逃げるようにして延びる延設部(32)と、この延設部から延び且つ前記親綱の取付け部を上端に設けた垂直に起立して延びる支柱部(33)とからなり、前記支柱本体は、前記支柱部の軸線が前記基端部の軸線に対して前記延設部の逃げ幅分(W)だけ外方にずれるよう、前記延設部を前記基端部及び支柱部にそれぞれ湾曲させて略Ｓ字状に連続せしめたアルミ製の角パイプからなることを特徴とする親綱支柱を提供する。
【０００８】
支柱本体は、アルミ製の角パイプからなり、その軽量化が図られている。延設部は、支柱部と同等かこれよりも短い垂直長さを有するのが望ましい。延設部には、運搬用の把手を設けると良い。
【０００９】
【実施の最良の形態】
以下、本発明を図示した実施例に基づいて詳説する。
図１は、本発明の一実施例に係る親綱支柱の正面図、図２はその使用状態を示す概略図である。
図中符号２は、この親綱支柱１の下端部に設けられた断面略コ字状の固定体である。固定体２は、建築物の骨組み材たる型鋼材のフランジ部４を咬持して、親綱支柱１をフランジ部４に起立固定させる。固定体２の開口部２１には、フランジ部４への締付け用ボルト２２が取付けられている。
【００１０】
図中符合３は、固定体に固着された支柱本体である。
支柱本体３は、全体がアルミ製の角パイプによって形成され、従来の親綱支柱と同様に作業員の腰部に達する長さを有する。支柱本体３は、固定体２に固着される垂直な基端部３１と、この基端部３１から外側方に湾曲しつつ上方に延びる延設部３２と、この延設部３２から垂直に立ち上がった支柱部３３とを備える。
【００１１】
基端部３１は、支柱本体３の下部にあって固定体２の高さとほぼ同じ長さを有し、固定体外側に溶着されている。
延設部３２は、基端部から一体的に外方に向けて延設され、支柱部３３の長さとほぼ同じか若干これよりも短めの高さを有し、湾曲した内側面に運搬用の把手５を有する。把手５は、親綱支柱１をバランス良く運搬できる位置に取付けられる。
支柱部３３は、延設部３２から一体的に垂直に立ち上がり形成され、上端に親綱の取付け部６を備える。取付け部６は、従来の親綱支柱と同様に親綱を掛け渡すに容易な構造のものが用いられる。支柱部３３の軸線は、基端部３１の軸線に対し、延設部３２が外側方に湾曲して逃げた分Ｗだけ、外方にずれている。
【００１２】
使用状態を説明する。
この親綱支柱１は、作業員が把手５を持って所定位置まで運ばれる。把手５があることで、安全に運搬される。
歩行面を成すフランジ部４に固定体２の開口部２１を挿入し、締め付けボルト２２を締め付けることによって、親綱支柱１は、型鋼材の長さ方向所定位置に固定される。親綱は、固定体２を固定する前に取付け部６に掛け渡しておく。
【００１３】
フランジ部４に固定された親綱支柱１は、支柱部３３が基端部３１に対し上記した逃げ分のＷだけセットオフされているので、歩行面の上方空間がフランジ部４の幅間隔に規制されることがなくなり、従来の一般的な親綱支柱に比べて歩行面上方空間を幅広く活用できる。したがって、作業員の腰部や装着した工具類が親綱支柱１に当たりにくくなる。
【００１４】
また、支柱本体３の上半部以上の長さの支柱部３３が垂直に起立し、その上端に親綱が掛け渡されているので、図２に示すように、親綱を通る水平面に対して親綱を支持する支柱部３３の軸線が垂直に交叉し、周囲の建築構成部材の水平面と垂直面と調和することとなり、作業員に不安感や違和感を生じさせることがない。湾曲した延設部３２は、作業員のひざ下以下の位置にあり、しかも目線の行きやすい親綱取付け部６を含む支柱本体上半部が上記したように垂直になっているので、なんら感覚的な障害を与えることはない。勿論、従来の傾斜支柱のような錯覚を与えることもない。
【００１５】
【発明の効果】
本発明によれば、次の効果を奏する。
親綱が取付けられる支柱部と固定部材に固着される基端部との間に、外方に逃げるようにして延びる延設部を設け、支柱部の軸線が基端部の軸線に対して延設部の逃げ幅分だけ外方にずれるようにしたので、高所作業員の腰部に装着した工具類が親綱支柱に当たりにくくなり、高所作業員の安全を確保できる。
【００１６】
また、親綱が取付けられる支柱部は垂直に起立しているので、傾斜した支柱に比べて作業員に違和感や不安感を生じさせることがなく、従来の一般的な親綱支柱と同様に歩行等に感覚的な障害を発生させることはない。
【図面の簡単な説明】
【図１】本発明の一実施例に係る親綱支柱の正面図。
【図２】図１の親綱支柱の使用状態を示す概略説明図。
【図３】従来の傾斜した親綱支柱の概略構成を示す説明図。
【符号の説明】
１        親綱支柱
２        固定体
３        支柱本体
３１      基端部
３２      延設部
３３      支柱部
４        フランジ部
５        把手
６        親綱の取付け部
【図１】
0004039554.tif 000002
【図２】
0004039554.tif 000003
【図３】
0004039554.tif 000004